(57)【要約】【課題】高速且つ安定にデータ送受信を行うことができるデータ送受信システム、データ送受信装置、及びデータ送受信方法を提供する。【解決手段】ネットワークを介して互いにデータを送受信できる複数のデータ送受信装置を有するシステムにおけるデータ送受信方法であって、データ送受信装置Ｂが、送信するデータを送信バッファを介してネットワークに送出するステップ（ｔ１）と、他のデータ送受信装置Ａが、ネットワーク経由で入力されるデータを受信バッファを介して受信するステップ（ｔ２）と、他のデータ送受信装置Ａが、データを正常に受信したときに、ＡＣＫ信号を生成し、付加情報を生成してＡＣＫ信号に付加してネットワークに送出するステップ（ｔ２〜ｔ５）と、データ送受信装置Ｂが、送信するデータを送信バッファを介してネットワークに送出するステップ（ｔ６）を有する。【選択図】図３
2007300296.tif 000002
【特許請求の範囲】
【請求項１】
ネットワークを介して互いにデータを送受信できる複数のデータ送受信装置を有するデータ送受信システムであって、
前記複数のデータ送受信装置のそれぞれは、
前記ネットワーク経由で入力されるデータを一時保持する受信バッファと、
前記受信バッファを介して前記データを受信するデータ受信部と、
送信するデータを一時保持する送信バッファと、
前記送信するデータを前記ネットワークに送出するデータ送信部と、
前記データ受信部がデータを正常に受信したときに、ＡＣＫ信号を生成し、次に送信権を持つデータ送受信装置を指定する送信権指定情報を生成して前記ＡＣＫ信号に付加するＡＣＫ形成評価部と
を有し、
前記データ送信部は、前記データ受信部がデータを正常に受信したときに、前記送信権指定情報が付加された前記ＡＣＫ信号を前記ネットワークに送出する
ことを特徴とするデータ送受信システム。
【請求項２】
前記送信権指定情報は、前記受信されたデータを送信したデータ送受信装置の送信バッファ及び受信バッファの状態と前記データを受信したデータ送受信装置の送信バッファ及び受信バッファの状態とに基づいて生成される
ことを特徴とする請求項１に記載のデータ送受信システム。
【請求項３】
ネットワークを介して互いにデータを送受信できる複数のデータ送受信装置を有するデータ送受信システムであって、
前記複数のデータ送受信装置のそれぞれは、
前記ネットワーク経由で入力されるデータを一時保持する受信バッファと、
前記受信バッファを介して前記データを受信するデータ受信部と、
送信するデータを一時保持する送信バッファと、
前記送信するデータを前記ネットワークに送出するデータ送信部と、
前記データ受信部がデータを正常に受信したときに、ＡＣＫ信号を生成し、前記受信バッファの状態情報を生成して前記ＡＣＫ信号に付加するＡＣＫ形成評価部と
を有し、
前記データ送信部は、前記データ受信部がデータを正常に受信したときに、前記受信バッファの状態情報が付加された前記ＡＣＫ信号を前記ネットワークに送出する
ことを特徴とするデータ送受信システム。
【請求項４】
前記受信バッファの状態情報は、前記データを受信したデータ送受信装置の前記受信バッファのデータ量から算出されるアンダーフローまでの時間に基づいて生成されることを特徴とする請求項３に記載のデータ送受信システム。
【請求項５】
前記受信バッファの状態情報は、前記データを受信したデータ送受信装置の前記受信バッファの残量から算出されるオーバーフローまでの時間に基づいて生成されることを特徴とする請求項３に記載のデータ送受信システム。
【請求項６】
前記受信されたデータを送信したデータ送受信装置の送信期間と、前記データを受信したデータ送受信装置の前記付加情報が付加された前記ＡＣＫ信号の送信期間との間の時間間隔が、当該データ送受信システムが採用する通信規格で定義された最小のデータ送信間隔であることを特徴とする請求項１乃至５のいずれかに記載のデータ送受信システム。
【請求項７】
前記データを受信したデータ送受信装置の前記付加情報が付加された前記ＡＣＫ信号の送信期間と、次にデータを送信するデータ送受信装置の送信期間との間の時間間隔が、当該データ送受信システムが採用する通信規格で定義された最小のデータ送信間隔であることを特徴とする請求項１乃至６のいずれかに記載のデータ送受信システム。
【請求項８】
ネットワークを介して互いにデータを送受信できる複数のデータ送受信装置を有するデータ送受信システムにおけるデータ送受信装置であって、
前記ネットワーク経由で入力されるデータを一時保持する受信バッファと、
前記受信バッファを介して前記データを受信するデータ受信部と、
送信するデータを一時保持する送信バッファと、
前記送信するデータを前記ネットワークに送出するデータ送信部と、
前記データ受信部がデータを正常に受信したときに、ＡＣＫ信号を生成し、次に送信権を持つデータ送受信装置を指定する送信権指定情報を生成して前記ＡＣＫ信号に付加するＡＣＫ形成評価部と
を有し、
前記データ送信部は、前記データ受信部がデータを正常に受信したときに、前記送信権指定情報が付加された前記ＡＣＫ信号を前記ネットワークに送出する
ことを特徴とするデータ送受信装置。
【請求項９】
前記送信権指定情報は、前記受信されたデータを送信したデータ送受信装置の送信バッファ及び受信バッファの状態と前記データを受信したデータ送受信装置の送信バッファ及び受信バッファの状態とに基づいて生成される
ことを特徴とする請求項１に記載のデータ送受信装置。
【請求項１０】
ネットワークを介して互いにデータを送受信できる複数のデータ送受信装置を有するデータ送受信システムおけるデータ送受信装置であって、
前記ネットワーク経由で入力されるデータを一時保持する受信バッファと、
前記受信バッファを介して前記データを受信するデータ受信部と、
送信するデータを一時保持する送信バッファと、
前記送信するデータを前記ネットワークに送出するデータ送信部と、
前記データ受信部がデータを正常に受信したときに、ＡＣＫ信号を生成し、前記受信バッファの状態情報を生成して前記ＡＣＫ信号に付加するＡＣＫ形成評価部と
を有し、
前記データ送信部は、前記データ受信部がデータを正常に受信したときに、前記受信バッファの状態情報が付加された前記ＡＣＫ信号を前記ネットワークに送出する
ことを特徴とするデータ送受信装置。
【請求項１１】
前記受信バッファの状態情報は、前記データを受信したデータ送受信装置の前記受信バッファのデータ量から算出されるアンダーフローまでの時間に基づいて生成されることを特徴とする請求項１０に記載のデータ送受信装置。
【請求項１２】
前記受信バッファの状態情報は、前記データを受信したデータ送受信装置の前記受信バッファの残量から算出されるオーバーフローまでの時間に基づいて生成されることを特徴とする請求項１０に記載のデータ送受信装置。
【請求項１３】
前記受信されたデータを送信したデータ送受信装置の送信期間と、前記データを受信したデータ送受信装置の前記付加情報が付加された前記ＡＣＫ信号の送信期間との間の時間間隔が、当該データ送受信システムが採用する通信規格で定義された最小のデータ送信間隔であることを特徴とする請求項８乃至１２のいずれかに記載のデータ送受信装置。
【請求項１４】
前記データを受信したデータ送受信装置の前記付加情報が付加された前記ＡＣＫ信号の送信期間と、次にデータを送信するデータ送受信装置の送信期間との間の時間間隔が、当該データ送受信システムが採用する通信規格で定義された最小のデータ送信間隔であることを特徴とする請求項８乃至１３のいずれかに記載のデータ送受信装置。
【請求項１５】
ネットワークを介して互いにデータを送受信できる複数のデータ送受信装置を有するシステムにおけるデータ送受信方法であって、
あるデータ送受信装置が、送信するデータを送信バッファを介して前記ネットワークに送出するステップと、
他のデータ送受信装置が、前記ネットワーク経由で入力されるデータを受信バッファを介して受信するステップと、
前記他のデータ送受信装置が、前記データを正常に受信したときに、ＡＣＫ信号を生成し、次に送信権を持つデータ送受信装置を指定する送信権指定情報を生成して前記ＡＣＫ信号に付加し、前記送信権指定情報が付加された前記ＡＣＫ信号を前記ネットワークに送出するステップと、
前記送信権指定情報で指定されたデータ送受信装置が、送信するデータを送信バッファを介して前記ネットワークに送出するステップと
を有することを特徴とするデータ送受信方法。
【請求項１６】
前記送信権指定情報は、前記受信されたデータを送信したデータ送受信装置の送信バッファ及び受信バッファの状態と前記他のデータ送受信装置の送信バッファ及び受信バッファの状態とに基づいて生成される
ことを特徴とする請求項１５に記載のデータ送受信方法。
【請求項１７】
ネットワークを介して互いにデータを送受信できる複数のデータ送受信装置を有するシステムにおけるデータ送受信方法であって、
あるデータ送受信装置が、送信するデータを送信バッファを介して前記ネットワークに送出するステップと、
他のデータ送受信装置が、前記ネットワーク経由で入力されるデータを受信バッファを介して受信するステップと、
前記他のデータ送受信装置がデータを正常に受信したときに、前記他のデータ送受信装置が、ＡＣＫ信号を生成し、前記受信バッファの状態情報を生成して前記ＡＣＫ信号に付加するＡＣＫ形成評価部と
前記他のデータ送受信装置が、前記データを正常に受信したときに、ＡＣＫ信号を生成し、前記受信バッファの状態情報を生成して前記ＡＣＫ信号に付加し、前記状態情報が付加された前記ＡＣＫ信号を前記ネットワークに送出するステップと、
前記状態情報が付加された前記ＡＣＫ信号を受信したデータ送受信装置が、送信するデータを送信バッファを介して前記ネットワークに送出するステップと
を有することを特徴とするデータ送受信方法。
【請求項１８】
前記受信バッファの状態情報は、前記データを受信したデータ送受信装置の前記受信バッファのデータ量から算出されるアンダーフローまでの時間に基づいて生成されることを特徴とする請求項１７に記載のデータ送受信方法。
【請求項１９】
前記受信バッファの状態情報は、前記データを受信したデータ送受信装置の前記受信バッファの残量から算出されるオーバーフローまでの時間に基づいて生成されることを特徴とする請求項１７に記載のデータ送受信方法。
【請求項２０】
前記受信されたデータを送信したデータ送受信装置の送信期間と、前記データを受信したデータ送受信装置の前記付加情報が付加された前記ＡＣＫ信号の送信期間との間の時間間隔が、当該データ送受信システムが採用する通信規格で定義された最小のデータ送信間隔であることを特徴とする請求項１５乃至１９のいずれかに記載のデータ送受信方法。
【請求項２１】
前記データを受信したデータ送受信装置の前記付加情報が付加された前記ＡＣＫ信号の送信期間と、次にデータを送信するデータ送受信装置の送信期間との間の時間間隔が、当該データ送受信システムが採用する通信規格で定義された最小のデータ送信間隔であることを特徴とする請求項１５乃至２０のいずれかに記載のデータ送受信方法。
【発明の詳細な説明】
【技術分野】
【０００１】
本発明は、複数のデータ送受信装置をネットワーク接続することによって形成されたデータ送受信システム、このシステムを構成するデータ送受信装置、及びデータ送受信方法に関し、例えば、ＭＰＥＧ２システムのトランスポートストリーム（ＴＳ）のように、映像、音声データにより構成されるストリームをリアルタイムで伝送、あるいは受信するためのデータ送受信システム、データ送受信装置、及びデータ送受信方法に関する。
【背景技術】
【０００２】
従来のデータ送受信システムとして、あるデータ送受信装置からネットワークを介して他のデータ送受信装置にデータを伝送すると、データを受け取ったデータ送受信装置がデータを送信したデータ送受信装置に向けてＡＣＫ（Ａｃｋｎｏｗｌｅｄｇｍｅｎｔ：確認応答）信号を返すものがある（例えば、非特許文献１参照）。
【０００３】
このデータ送受信システムでは、図２に示されるように、確実にデータの送受信を行うために、ＡＣＫ信号は、データ送信が終わってからＳＩＦＳ（Ｓｈｏｒｔ  Ｉｎｔｅｒｆｒａｍｅ  Ｓｐａｃｅ：ＩＥＥＥ８０２．１１で定義されているフレーム送信間隔の中で最小の時間間隔である単フレーム間隔）と呼ばれる時間間隔の後に送信される。また、ＡＣＫ信号の送信後、次にデータを送信するデータ送受信装置は、ＤＩＦＳ（ＤＣＦ  Ｉｎｔｅｒｆｒａｍｅ  Ｓｐａｃｅ：分散制御用フレーム間隔）と呼ばれるＳＩＦＳよりも長い時間間隔及びデータの衝突を避けるために設けられるバックオフ時間の後、データを送信する。
【０００４】
【非特許文献１】「８０２．１１高速無線ＬＡＮ教科書」、ｐ７３−７５、株式会社ＩＤＧジャパン
【発明の開示】
【発明が解決しようとする課題】
【０００５】
しかしながら、上記従来のデータ送受信システムでは、データを送信する２つのデータ送受信装置のバックオフ期間が同じである場合、ネットワーク上でデータが衝突し、正しくデータ送受信が行われない。このような場合は、バックオフ期間を変更してデータが衝突しないようにし、再度データの送信が行われる。上記従来のデータ送受信システムでは、このようにデータ送受信が行われるので、ＤＩＦＳ期間及びバックオフ期間の分だけデータ送受信に要する時間が延長され、またデータの衝突もあり、速やかなデータ送受信が行われないという問題がある。
【０００６】
そこで、本発明は、上記従来技術の課題を解決するためになされたものであり、高速にデータ送受信を行うことができるデータ送受信システム、データ送受信装置、及びデータ送受信方法を提供することを目的とする。
【課題を解決するための手段】
【０００７】
本発明のデータ送受信システムは、ネットワークを介して互いにデータを送受信できる複数のデータ送受信装置を有するデータ送受信システムであって、前記複数のデータ送受信装置のそれぞれは、前記ネットワーク経由で入力されるデータを一時保持する受信バッファと、前記受信バッファを介して前記データを受信するデータ受信部と、送信するデータを一時保持する送信バッファと、前記送信するデータを前記ネットワークに送出するデータ送信部と、前記データ受信部がデータを正常に受信したときに、ＡＣＫ信号を生成し、次に送信権を持つデータ送受信装置を指定する送信権指定情報を生成して前記ＡＣＫ信号に付加するＡＣＫ形成評価部とを有し、前記データ送信部は、前記データ受信部がデータを正常に受信したときに、前記送信権指定情報が付加された前記ＡＣＫ信号を前記ネットワークに送出するものである。
【０００８】
本発明の他のデータ送受信システムは、ネットワークを介して互いにデータを送受信できる複数のデータ送受信装置を有するデータ送受信システムであって、前記複数のデータ送受信装置のそれぞれは、前記ネットワーク経由で入力されるデータを一時保持する受信バッファと、前記受信バッファを介して前記データを受信するデータ受信部と、送信するデータを一時保持する送信バッファと、前記送信するデータを前記ネットワークに送出するデータ送信部と、前記データ受信部がデータを正常に受信したときに、ＡＣＫ信号を生成し、前記受信バッファの状態情報を生成して前記ＡＣＫ信号に付加するＡＣＫ形成評価部とを有し、前記データ送信部は、前記データ受信部がデータを正常に受信したときに、前記受信バッファの状態情報が付加された前記ＡＣＫ信号を前記ネットワークに送出するものである。
【発明の効果】
【０００９】
本発明によれば、ＡＣＫ信号に付加されている送信権指定情報又は受信バッファの状態情報に基づいて、データを送信する送受信装置及び／又はデータを受信する送受信装置が決まるので、データの送信期間とＡＣＫ信号の送信期間との間の時間間隔が、通信規格で定義された最小のデータ送信間隔することが可能になり、よって、データの伝送速度の高速化を実現できるという効果がある。
【００１０】
また、本発明によれば、ＡＣＫ信号に付加されている送信権指定情報又は受信バッファの状態情報に基づいて、データを送信する送受信装置及び／又はデータを受信する送受信装置が決まるので、データの衝突を回避でき、よって、安定してデータ伝送を実現できるという効果がある。
【発明を実施するための最良の形態】
【００１１】
実施の形態１．
図１は、本発明の実施の形態１に係るデータ送受信システム（データ送受信方法を実施するシステム）の構成を概略的に示す図である。
【００１２】
図１に示されるように、実施の形態１に係るデータ送受信システムは、ネットワーク１を介してデータの送受信が可能になるように接続されたデータ送受信装置Ａ（符号１０をも用いる。）と、データ送受信装置Ｂ（符号２０をも用いる。）と、データ送受信装置Ｃ（符号３０をも用いる。）とを有する。ただし、データ送受信装置の数は、３台に限定されない。また、ネットワーク１は、例えば、ＬＡＮであり、無線やＰＬＣ（電力線通信）を用いたネットワークを含む。
【００１３】
データ送受信装置Ａは、送受信バッファ部１１と、データ送受信部１２と、ＡＣＫ形成評価部１３とを有する。送受信バッファ部１１は、ネットワーク１経由で入力されたデータを一時保持する受信バッファと、送信するデータを一時保持する送信バッファとを有する。データ送受信部１２は、受信バッファを介して入力されたデータを受信するデータ受信部と、送信バッファを介して送信するデータをネットワーク１に送出するデータ送信部とを有する。データ送受信部１２は、ネットワーク１にデータを送出するためにデータをフォーマットする機能と、データを受信したときにその中身を解析する機能を持つ。ＡＣＫ形成評価部１３は、受信されたデータが正常に受信されたかどうかを判断し、正常に受信されたときに、ＡＣＫ信号を生成し、付加情報を生成してＡＣＫ信号に付加する。また、ＡＣＫ形成評価部１３は、受信したＡＣＫ信号に付加されている付加情報を評価する機能を持つ。データ送信部は、受信されたデータが正常に受信されたときに、付加情報が付加されたＡＣＫ信号をネットワーク１に送出する。
【００１４】
データ送受信装置Ｂは、送受信バッファ部２１と、データ送受信部２２と、ＡＣＫ形成評価部２３とを有する。送受信バッファ部２１、データ送受信部２２、及びＡＣＫ形成評価部２３の構成及び機能は、データ送受信装置Ａの送受信バッファ部１１、データ送受信部１２、及びＡＣＫ形成評価部１３の構成及び機能と同じである。
【００１５】
データ送受信装置Ｃは、送受信バッファ部３１と、データ送受信部３２と、ＡＣＫ形成評価部３３とを有する。送受信バッファ部３１、データ送受信部３２、及びＡＣＫ形成評価部３３の構成及び機能は、データ送受信装置Ａの送受信バッファ部１１、データ送受信部１２、及びＡＣＫ形成評価部１３の構成及び機能と同じである。
【００１６】
実施の形態１においては、ＡＣＫ信号に付加される付加情報は、ネットワーク１に接続されたデータ送受信装置のうちの次に送信権を持つデータ送受信装置を指定する送信権指定情報である。実施の形態１においては、受信されたデータは、受信されたデータを送信したデータ送受信装置Ｂの送受信バッファ部の状態情報を含んでおり、ＡＣＫ信号に付加される送信権指定情報は、データを送信したデータ送受信装置の送受信バッファ部の状態とデータを受信したデータ送受信装置の送受信バッファ部の状態とに基づいて生成される。
【００１７】
図３は、実施の形態１に係るデータ送受信システムの動作（データ送受信方法）を示すタイミングチャートである。
【００１８】
図３に示されるように、データ送受信装置Ｂがデータ送受信装置Ａに対してネットワーク１を介してデータを送信する（時間ｔ１）。データを受け取ったデータ送受信装置Ａは（時間ｔ２）、ＳＩＦＳ期間後にＡＣＫ信号を返しながら（時間ｔ３）、ＡＣＫ信号に情報を付加しネットワーク１に送出する（時間ｔ４）。ここで、付加情報は、データ送受信装置Ａ及びデータ送受信装置Ｂの送受信バッファ部の状態、例えば、送信バッファの残量から判断して、次に送信権を持つのはデータ送受信装置Ｂであるとい内容である。すなわち、このときに送信権を持つデータ送受信装置Ｂは、ネットワーク１に接続された他のデータ送受信装置よりも優先的にデータを送信する権利を持つ。なお、優先度は、送受信バッファ部の状態から判断して、データ送受信が破綻する危険性が高いものほど優先度が高くなり、危険度が低いものほど優先度は低くなる。例えば、送信バッファのデータ量が多く、オーバーフローまので時間が短い送受信装置は、データ送信の優先度が高くなる。また、例えば、送信バッファのデータ量が少なく、アンダーフローまので時間が短い場合には、データ送信の優先度が低くなる。
【００１９】
次に、付加情報送信後（時間ｔ５）のＳＩＦＳ期間後にデータ送受信装置Ｂが再びデータをネットワーク１に送出する（時間ｔ６）。ＡＣＫ信号は全てのデータ送受信装置が受信するので、このときデータ送受信装置Ｃは待機状態になる。データを受け取ったデータ送受信装置Ａ（時間ｔ７）は、ＳＩＦＳ期間後にＡＣＫ信号を返しながら（時間ｔ８）、ＡＣＫ信号に情報を付加しネットワーク１に送出する（時間ｔ９）。ここでの付加情報は、例えば、データ送受信装置Ａ及びデータ送受信装置Ｂの送受信バッファ部の状態、例えば、残量から判断して次に送信権を持つのはデータ送受信装置Ｃであるという内容である。付加情報送信後（時間ｔ１０）のＳＩＦＳ期間後（時間ｔ１１）に、データ送受信装置Ｃがデータをネットワーク１に送出する。このときデータ送受信装置Ｂは待機状態になる。
【００２０】
以上に説明したように、実施の形態１に係るデータ送受信装置は、送受信バッファ部の状態、例えば、残量から判断したＡＣＫ信号に次の送信権を持つのは何れのデータ送受信装置なのかという情報を付加するように構成されるので、最小のフレーム送信間隔であるＳＩＦＳで次のデータをネットワーク１に送出することができ、また、データの衝突も避けられるため、高速かつ安定的なデータ送受信を行える効果がある。
【００２１】
実施の形態２．
実施の形態１に係るデータ送受信システムにおいては、送受信バッファ部の状態、例えば、送信バッファの記憶領域の残量から判断して、次の送信権を持つのは何れのデータ送受信装置であるのかという情報を生成し、ＡＣＫ信号に付加した。これに対し、実施の形態２に係るデータ送受信システムは、ＡＣＫ信号に、データを受信した送受信装置の受信バッファのアンダーフローまでの時間情報を付加する。
【００２２】
実施の形態２に係るデータ送受信システムの説明においては、図１を参照する。
【００２３】
図４は、実施の形態２に係るデータ送受信システムの動作（データ送受信方法）を示すタイミングチャートである。
【００２４】
図４に示されるように、データ送受信装置Ｂがデータ送受信装置Ａに対してネットワーク１を介してデータを送信する（時間ｔ２１）。データを受け取ったデータ送受信装置Ａは（時間ｔ２２）、ＳＩＦＳ期間後にＡＣＫ信号を返しながら（時間ｔ２３）、ＡＣＫ信号に情報を付加してネットワーク１に送出する（時間ｔ２４）。ここで、付加情報は、データ送受信装置Ａの受信バッファのアンダーフローまで僅かな時間である（すなわち、受信バッファに保持されているデータの量が僅かである）という内容である。したがって、データ送受信装置Ａは、ネットワーク１に接続された他のデータ送受信装置よりも優先的にデータを受信する権利を持つ。
【００２５】
付加情報送信後（時間ｔ２５）のＳＩＦＳ期間後に（時間ｔ２６）、データ送受信装置Ｂが再びデータを優先度が高いデータ送受信装置Ａに対してネットワーク１に送出する。ＡＣＫ信号は全てのデータ送受信装置が受信するので、このときデータ送受信装置Ｃは待機状態になる。データを受け取ったデータ送受信装置Ａ（時間ｔ２７）は、ＳＩＦＳ期間後にＡＣＫ信号を返しながら（時間ｔ２８）、ＡＣＫ信号に情報を付加しネットワーク１に送出する（時間ｔ２９）。ここでの付加情報は、例えば、データ送受信装置Ａの送受信バッファ部のアンダーフローまでは余裕有りという内容である（すなわち、受信バッファに保持されているデータの量が十分にある）。付加情報送信後（時間ｔ３０）のＳＩＦＳ期間後（時間ｔ３１）に、データ送受信装置Ｂは、例えば、データ送受信装置Ｃに対して、データをネットワーク１に送出する。このときデータ送受信装置Ａは待機状態になり、データ送受信装置ＣがＡＣＫ信号を返す（時間ｔ３２）。
【００２６】
以上に説明したように、実施の形態２に係るデータ送受信装置は、ＡＣＫ信号に受信バッファのアンダーフローまでの時間の情報を付加するように構成されるので、最小のフレーム送信間隔であるＳＩＦＳで次のデータをネットワーク１に送出することができ、また、データの衝突も避けられるため、高速かつ安定的なデータ送受信を行える効果がある。
【００２７】
また、実施の形態２に係るデータ送受信装置は、ＡＣＫ信号に受信バッファのアンダーフローまでの時間の情報を付加するように構成されるので、アンダーフローを起こすことなく映像データ等を途切れることなくデータ送受信を行える効果がある。
【００２８】
なお、以上の点を除き、実施の形態２に係るデータ送受信システムは、上記実施の形態１のものと同じである。
【００２９】
実施の形態３．
実施の形態１に係るデータ送受信システムにおいては、送受信バッファ部の状態、例えば、送信バッファの残量から判断して、次の送信権を持つのは何れのデータ送受信装置であるのかという情報を生成し、ＡＣＫ信号に付加した。これに対し、実施の形態３に係るデータ送受信システムは、ＡＣＫ信号に、データを受信した送受信装置の受信バッファのオーバーフローまでの時間情報を付加する。
【００３０】
実施の形態３に係るデータ送受信システムの説明においては、図１を参照する。
【００３１】
図５は、実施の形態３に係るデータ送受信システムの動作（データ送受信方法）を示すタイミングチャートである。
【００３２】
図５に示されるように、データ送受信装置Ｂがデータ送受信装置Ａに対してネットワーク１を介してデータを送信する（時間ｔ４１）。データを受け取ったデータ送受信装置Ａは（時間ｔ４２）、ＳＩＦＳ期間後にＡＣＫ信号を返しながら（時間ｔ４３）、ＡＣＫ信号に情報を付加してネットワーク１に送出する（時間ｔ４４）。ここで、付加情報は、データ送受信装置Ａの受信バッファのオーバーフローまで僅かな時間である（すなわち、受信バッファの記憶領域の残量が僅かである）という内容である。したがって、データ送受信装置Ａは、ネットワーク１に接続された他のデータ送受信装置よりもデータを受信する優先度が低い。
【００３３】
データ送受信装置Ｂは、付加情報送信後（時間ｔ４５）のＳＩＦＳ期間後（時間ｔ４６）に、優先度の低いデータ送受信装置Ａにはデータを送信せず、データ受信の優先度の高いデータ送受信装置Ｃに対してネットワーク１に送出する。なお、データ送受信装置Ｃの優先度は、図示されていないＡＣＫ信号の付加情報に基づいて行われる。データを受け取ったデータ送受信装置Ｃは（時間ｔ４７）、ＳＩＦＳ期間後（時間ｔ４８）にＡＣＫ信号を返しながら、ＡＣＫ信号に情報を付加してネットワーク１に送出する（時間ｔ４９）。ここでの付加情報は、例えば、データ送受信装置Ｃの受信バッファのオーバーフローまでは余裕有りという内容である（すなわち、受信バッファの記憶領域の残量が十分にある）。付加情報送信後（時間ｔ５０）のＳＩＦＳ期間後（時間ｔ５１）に、データ送受信装置Ｂは、例えば、データ送受信装置Ｃに対して再びデータをネットワーク１に送出する。ＡＣＫ信号は全てのデータ送受信装置が受信するので、このときデータ送受信装置Ａは待機状態になり、データ送受信装置ＣがＡＣＫ信号を返す（時間ｔ５２）。
【００３４】
以上に説明したように、実施の形態３に係るデータ送受信装置は、ＡＣＫ信号に受信バッファのオーバーフローまでの時間の情報を付加するように構成されるので、最小のフレーム送信間隔であるＳＩＦＳで次のデータをネットワーク１に送出することができ、また、データの衝突も避けられるため、高速かつ安定的なデータ送受信を行える効果がある。
【００３５】
また、実施の形態３に係るデータ送受信装置は、ＡＣＫ信号に受信バッファのオーバーフローまでの時間の情報を付加するように構成されるので、オーバーフローを起こすことなく映像データ等を途切れることなくデータ送受信を行える効果がある。
【００３６】
なお、以上の点を除き、実施の形態３に係るデータ送受信システムは、上記実施の形態１又は２のものと同じである。
【図面の簡単な説明】
【００３７】
【図１】本発明の実施の形態１乃至３に係るデータ送受信システム（データ送受信方法を実施するシステム）の構成を示す図である。
【図２】従来のデータ送受信システムの動作を示すタイミングチャートである。
【図３】実施の形態１に係るデータ送受信システムの動作（データ送受信方法）を示すタイミングチャートである。
【図４】実施の形態２に係るデータ送受信システムの動作（データ送受信方法）を示すタイミングチャートである。
【図５】実施の形態３に係るデータ送受信システムの動作（データ送受信方法）を示すタイミングチャートである。
【符号の説明】
【００３８】
１  ネットワーク、  １０  データ送受信装置Ａ、  １１  データ送受信装置Ａの送受信バッファ部、  １２  データ送受信装置Ａのデータ送受信部、  １３  データ送受信装置ＡのＡＣＫ形成評価部、  ２０  データ送受信装置Ｂ、  ２１  データ送受信装置Ｂの送受信バッファ部、  ２２  データ送受信装置Ｂのデータ送受信部、  ２３  データ送受信装置ＢのＡＣＫ形成評価部、  ３０  データ送受信装置Ｃ、  ３１  データ送受信装置Ｃの送受信バッファ部、  ３２  データ送受信装置Ｃのデータ送受信部、  ３３  データ送受信装置ＣのＡＣＫ形成評価部。
【図１】
2007300296.tif 000003
【図２】
2007300296.tif 000004
【図３】
2007300296.tif 000005
【図４】
2007300296.tif 000006
【図５】
2007300296.tif 000007